(57)【特許請求の範囲】
【請求項１】
既設の鉄筋コンクリート構造物の壁面部に縦方向に延設して形成された配筋用縦スリットに、補強用鉄筋を上方から吊り降ろして縦方向に所定のピッチで配筋する際に用いる鉄筋吊下げ配筋装置であって、
縦方向に立設した状態で固定される支持柱部と、該支持柱部に上下方向にスライド移動可能に取り付けられ、該支持柱部の所定の高さ位置に固定可能なクランプ部と、該クランプ部に把持されて前記壁面部に向けて横方向に延設するガイドパイプ部と、該ガイドパイプ部に案内されて前記壁面部に向けて横方向に進退摺動する、外側パイプ及び内側パイプからなる２重構造のスライドパイプ部とを含んで構成されており、
前記スライドパイプ部の前記外側パイプ及び前記内側パイプの先端部には、ガイドプーリーが各々取り付けられており、これらのガイドプーリーに各々巻き付けられることで、一対のワイヤー部材が、前記内側パイプの中空内部を介して、前記支持柱部が固定された作業空間から前記ガイドプーリーの下方部分に亘って、前記作業空間からの操作によって進退可能に延設しており、
且つ前記ワイヤー部材の前記ガイドプーリーの下方部分側の先端部には、前記補強用鉄筋を着脱可能に把持する鉄筋把持部が各々取り付けられている鉄筋吊下げ配筋装置。
【請求項２】
前記支持柱部は、上端部及び下端部にジャッキベースが取り付けられた支持柱からなり、前記ジャッキベースを前記作業空間の底盤部及び天盤部に押し付けて支持反力を得た状態で、前記支持柱が前記作業空間に固定される請求項１記載の鉄筋吊下げ配筋装置。
【請求項３】
前記鉄筋把持部は、電磁石と、該電磁石に磁着可能な金属板を先端に備える鉄筋巻込み用ベルトとを含んで構成されており、前記鉄筋巻込み用ベルトによって前記補強用鉄筋を巻き込み、前記金属板を前記電磁石に磁着して前記補強用鉄筋を把持した状態から、前記補強用鉄筋を所定の位置まで吊り降ろした後に、前記電磁石の電源をオフにすることで把持した状態を開放して、前記ワイヤー部材と共に引き上げ可能となっている請求項１又は２記載の鉄筋吊下げ配筋装置。
【発明の詳細な説明】
【技術分野】
【０００１】
本発明は、既設の鉄筋コンクリート構造物の壁面部に縦方向に延設して形成された配筋用縦スリットに、補強用鉄筋を上方から吊り降ろして配筋する際に用いる鉄筋吊下げ配筋装置に関する。
【背景技術】
【０００２】
例えばボックスカルバート形状に形成された鉄筋コンクリートによる地下構造物の耐震補強を行うための工法として、既設の鉄筋コンクリート構造物の壁面部に、多数の補強用の鉄筋を、縦横に所定のピッチで壁面部の厚さ方向に埋設設置する耐震補強工法が採用されることがある。既設の鉄筋コンクリート構造物の壁面に補強用鉄筋を埋設設置する場合、壁面部を貫通しない深さでコアボーリング孔を形成し、形成した各コアボーリング孔に補強用の鉄筋を配設した後に、例えば無収縮モルタルを充填して埋設する方法が一般に採用される。
【０００３】
また、広い範囲の壁面部に、多数のコアボーリング孔を個々に穿孔形成してゆく作業は、多くの手間を要すると共に、既設の鉄筋コンクリート構造物に配筋されている既存の鉄筋を破断させたり、損傷させたりするおそれもあることから、既設の鉄筋コンクリート構造物の壁面部に、ウォータージェットを用いて、既存の鉄筋を切断することなく鉛直方向に配筋用縦スリットを切削形成し、この配筋用縦スリットを利用して、補強用の鉄筋を既存の鉄筋に支持させて配筋し、しかる後に配筋用縦スリットにモルタルやコンクリートを充填して、補強用の鉄筋を既設の鉄筋コンクリート構造物の壁面部に埋設する方法も開発されている（例えば、特許文献１参照）。
【先行技術文献】
【特許文献】
【０００４】
【特許文献１】特開平９−６７９４２号公報
【発明の概要】
【発明が解決しようとする課題】
【０００５】
一方、既存の鉄筋コンクリート構造物は、例えば共同溝等として用いられていて、内部に電力用のケーブル配線や、各種の配管類が配設されている場合があり、これらの配線類や配管類は、維持管理を行い易いように、例えば支持架台によって支持されて、壁面部に沿わせて複数段に整列配置された状態で設置されていることが多い。このような場合に、例えば上述の壁面部に縦横に所定のピッチで多数のコアボーリング孔を形成して補強用の鉄筋を配設する方法では、壁面部に沿わせて設置された配線類や配管類が邪魔になって、施工することが困難である。
【０００６】
これに対して、上述のウォータージェットを用いて配筋用縦スリットを切削形成する方法を応用して、例えば配線類や配管類を支持する複数段の支持架台の間の隙間を介して、配線類や配管類の裏側の壁面部の所定の位置にウォータージェット噴射ノズルを挿入するためのコアボーリング孔を穿孔形成し、これらのコアボーリング孔にウォータージェット噴射ノズルを挿入して壁面部を縦方向に切削することにより配筋用縦スリットを形成し、形成した配筋用縦スリットに補強用の鉄筋を配筋した後に、モルタルやコンクリートを充填して、補強用の鉄筋を配線類や配管類の裏側の壁面部に埋設する方法が考えられる。
【０００７】
しかしながら、上述のコアボーリング孔とウォータージェットによる方法では、配線類や配管類等による障害物の裏側の壁面部に、補強用の鉄筋を配筋するための配筋用縦スリットを形成することは容易であるが、配線類や配管類等による障害物の裏側の配筋用縦スリットは、これらの障害物が邪魔になって作業員の手が届き難い場所に形成されるため、配筋用縦スリットに補強用の鉄筋を所定のピッチで縦方向に配筋する作業を行うことが困難になる。
【０００８】
本発明は、既設の鉄筋コンクリート構造物の例えば配線類や配管類等による障害物の裏側の壁面部に形成された配筋用縦スリットに、補強用の鉄筋を、所定のピッチで縦方向にスムーズに配筋してゆくことのできる鉄筋吊下げ配筋装置を提供することを目的とする。
【課題を解決するための手段】
【０００９】
本発明は、既設の鉄筋コンクリート構造物の壁面部に縦方向に延設して形成された配筋用縦スリットに、補強用鉄筋を上方から吊り降ろして縦方向に所定のピッチで配筋する際に用いる鉄筋吊下げ配筋装置であって、縦方向に立設した状態で固定される支持柱部と、該支持柱部に上下方向にスライド移動可能に取り付けられ、該支持柱部の所定の高さ位置に固定可能なクランプ部と、該クランプ部に把持されて前記壁面部に向けて横方向に延設するガイドパイプ部と、該ガイドパイプ部に案内されて前記壁面部に向けて横方向に進退摺動する、外側パイプ及び内側パイプからなる２重構造のスライドパイプ部とを含んで構成されており、前記スライドパイプ部の前記外側パイプ及び前記内側パイプの先端部には、ガイドプーリーが各々取り付けられており、これらのガイドプーリーに各々巻き付けられることで、一対のワイヤー部材が、前記内側パイプの中空内部を介して、前記支持柱部が固定された作業空間から前記ガイドプーリーの下方部分に亘って、前記作業空間からの操作によって進退可能に延設しており、且つ前記ワイヤー部材の前記ガイドプーリーの下方部分側の先端部には、前記補強用鉄筋を着脱可能に把持する鉄筋把持部が各々取り付けられている鉄筋吊下げ配筋装置を提供することにより、上記目的を達成したものである。
【００１０】
そして、本発明の鉄筋吊下げ配筋装置は、前記支持柱部が、上端部及び下端部にジャッキベースが取り付けられた支持柱からなり、前記ジャッキベースを前記作業空間の底盤部及び天盤部に押し付けて支持反力を得た状態で、前記支持柱が前記作業空間に固定されることが好ましい。
【００１１】
また、本発明の鉄筋吊下げ配筋装置は、前記鉄筋把持部が、電磁石と、該電磁石に磁着可能な金属板を先端に備える鉄筋巻込み用ベルトとを含んで構成されており、前記鉄筋巻込み用ベルトによって前記補強用鉄筋を巻き込み、前記金属板を前記電磁石に磁着して前記補強用鉄筋を把持した状態から、前記補強用鉄筋を所定の位置まで吊り降ろした後に、前記電磁石の電源をオフにすることで把持した状態を開放して、前記ワイヤー部材と共に引き上げ可能となっていることが好ましい。
【発明の効果】
【００１２】
本発明の鉄筋吊下げ配筋装置によれば、既設の鉄筋コンクリート構造物の例えば配線類や配管類等による障害物の裏側の壁面部に形成された配筋用縦スリットに、補強用の鉄筋を、所定のピッチで縦方向にスムーズに配筋してゆくことができる。
【図面の簡単な説明】
【００１３】
【図１】本発明の好ましい一実施形態に係る鉄筋吊下げ配筋装置を用いて配筋用縦スリットに補強用鉄筋を配筋する状況を説明する略示断面図である。
【図２】本発明の好ましい一実施形態に係る補強用鉄筋の取付け構造によって耐震補強される既設コンクリート構造物を例示する略示断面図である。
【図３】本発明の好ましい一実施形態に係る鉄筋吊下げ配筋装置の構成を説明する側方から見た略示側断面図である。
【図４】（ａ），（ｂ）は、鉄筋吊下げ配筋装置のガイドパイプ部やスライドパイプ部を進退させる状況を説明する上方から見た略示断面図である。
【図５】（ａ），（ｂ）は、補強用の鉄筋を吊り降ろす状況を説明する側方から見た略示断面図である。
【図６】図７（ａ）を上方から見たクランプ部の略示上面図である。
【図７】図６を下方から見たクランプ部の略示後面図である。
【図８】（ａ），（ｂ）は、鉄筋把持部の構成を説明する略示斜視図である。
【図９】既設の鉄筋コンクリート構造物の配線類や配管類等による障害物の裏側の壁面部に形成される配筋用縦スリットを説明する、（ａ）は（ｂ）のＡ−Ａに沿った略示正面図、（ｂ）は（ａ）のＢ−Ｂに沿った略示断面図である。
【図１０】（ａ）〜（ｄ）は、本発明の好ましい一実施形態に係る鉄筋吊下げ配筋装置を用いて補強用鉄筋の配筋する状況を説明する略示断面図である。
【発明を実施するための形態】
【００１４】
図１に示す本発明の好ましい一実施形態に係る鉄筋吊下げ配筋装置１０は、例えば図２に示すような、ボックスカルバート形状の地下構造物として構築された既設の鉄筋コンクリート構造物２０に対して耐震補強を行う際に、当該鉄筋コンクリート構造物２０において共同溝として用いられている上段トンネル部２１の地盤に面した側の壁面部２２に、補強用鉄筋１１を縦方向に所定のピッチで配筋するための装置として用いられる。本実施形態では、共同溝として使用されている上段トンネル部２１には、内部に電力用のケーブル配線等の各種の配線類や配管類２３が、支持架台２４によって支持されて、耐震補強しようとする壁面部２２に沿って設置されており、これらの配線類や配管類２３が障害物となって、これらの裏側の壁面部２２に形成された配筋用縦スリット２５（図９（ａ）、（ｂ）参照）に作業員の手作業によって補強用鉄筋１１の配筋作業を行うことが困難な状況になっている。本実施形態の鉄筋吊下げ配筋装置１０は、このような配線類や配管類２３の裏側の壁面部２２に形成された配筋用縦スリット２５に、所定のピッチで縦方向にスムーズに補強用鉄筋１１を配筋することを可能にする機能を備えている。
【００１５】
なお、本実施形態では、地下構造物として構築された既設の鉄筋コンクリート構造物２０の下段トンネル部２６は、例えば地下鉄用のトンネルとなっている。
【００１６】
そして、本実施形態の補強用鉄筋の鉄筋吊下げ配筋装置１０は、既設の鉄筋コンクリート構造物２０の壁面部２２に縦方向に延設して形成された配筋用縦スリット２５に、補強用鉄筋１１を上方から吊り降ろして縦方向に所定のピッチで配筋する際に用いる配筋装置であって、縦方向に立設した状態で固定される支持柱部３０と、支持柱部３０に上下方向にスライド移動可能に取り付けられ、支持柱部３０の所定の高さ位置に固定可能なクランプ部３３と、クランプ部３３に把持されて壁面部２２に向けて横方向に延設するガイドパイプ部３４と、ガイドパイプ部３４に案内されて壁面部２２に向けて横方向に進退摺動する、外側パイプ３５及び内側パイプ３６からなる２重構造のスライドパイプ部３７とを含んで構成されている。スライドパイプ部３７の外側パイプ３５及び内側パイプ３６の先端部には、ガイドプーリー３８が各々取り付けられており、これらのガイドプーリー３８に各々巻き付けられることで、一対のワイヤー部材３９が、内側パイプ３６の中空内部を介して、支持柱部３０が固定された作業空間４５からガイドプーリー３８の下方部分に亘って、作業空間４１からの操作によって進退可能に延設しており、且つワイヤー部材３９のガイドプーリー３８の下方部分側の先端部には、補強用鉄筋１１を着脱可能に把持する鉄筋把持部４０が各々取り付けられている。
【００１７】
本実施形態では、鉄筋吊下げ配筋装置１０を構成する支持柱部３０は、図３にも示すように、上端部及び下端部にジャッキベース３１が取り付けられた支持柱３２からなり、ジャッキベース３１を作業空間４５を形成する上段トンネル部２１の底盤部２１ａ及び天盤部２１ｂに押し付けて支持反力を得た状態で、支持柱３２が作業空間４５に固定されるようになっている。支持柱３２としては、例えば直径が４８．６ｍｍ程度の太さの足場パイプを用いることができる。
【００１８】
鉄筋吊下げ配筋装置１０を構成するクランプ部３３は、図６及び図７（ａ），（ｂ）にも示すように、例えば垂直に交わる軸心が立体交差状に配置された一対のパイプクランプ部３３ａ，３３ｂを備える公知のクランプ部材からなり、第１クランプレバー３３ｃからの操作で開閉可能な縦方向の軸心を有する第１パイプクランプ部３３ａによって支持柱３２を把持することで、支持柱部３０の所定の高さ位置に、クランプ部３３を固定することができるようになっている。また第２クランプレバー３３ｄからの操作で開閉可能な横方向の軸心を有する第２パイプクランプ部３３ｂによってガイドパイプ部３４を把持することで、ガイドパイプ部３４を、壁面部２２に向けて横方向に延設させた状態で、支持柱部３０に固定することができるようになっている。
【００１９】
ガイドパイプ部３４としては、図３〜図５（ａ），（ｂ）に示すように、例えば直径が４３ｍｍ程度、長さが７３３ｍｍ程度の鋼管パイプを用いることができる。ガイドパイプ部３４の側面には、これの延設方向に沿って、後述する外側パイプ３５や内側パイプ３６の側面に一体接合されたスライドハンドル３５ａ，３６ａを突出させて、これのスライド移動を案内するガイドレール溝３４ａ（図７（ａ），（ｂ）参照）が、ガイドパイプ部３４の両端部を除く略全長に亘って切り込み形成されている。ガイドパイプ部３４は、クランプ部３３の第２パイプクランプ部３３ｂによって把持される位置を調整することによって、壁面部２２との離間距離を適宜調整することができる。ガイドパイプ部３４の中空内部には、２重構造のスライドパイプ部３７が、進退摺動可能に装着される。
【００２０】
スライドパイプ部３７は、図３〜図５（ａ），（ｂ）に示すように、外側パイプ３５と内側パイプ３６とからなる２重構造を備える。外側パイプ３５としては、例えば直径が３４ｍｍ程度、長さが７５３ｍｍ程度の鋼管パイプを用いることができる。外側パイプ３５には、これの後端部分の側面から突出して、スライドハンドル３５ａが一体接合されて設けられている。スライドハンドル３５ａよりも前方部分の側面には、内側パイプ３６に一体接合されたスライドハンドル３６ａを突出させると共に、これのスライド移動を案内する、ガイドレール溝３５ｂ（図７（ａ），（ｂ）参照）が切り込み形成されている。内側パイプ３６としては、例えば直径が２２ｍｍ程度、長さが９３０ｍｍ程度の鋼管パイプを用いることができる。内側パイプ３６には、これの後端部分の側面から突出して、スライドハンドル３６ａが一体接合されて設けられている。
【００２１】
また、本実施形態では、外側パイプ３５や内側パイプ３６の先端部には、例えば支持ブラケットを介してガイドプーリー３８が各々取り付けられている。これらのガイドプーリー３８には、各々、ワイヤー部材３９が巻き付けられる。ワイヤー部材３９には、ガイドプーリー３８から下方に延設する部分の先端部に鉄筋把持部４０が各々取り付けられ、ワイヤー部材３９の他方の部分は、各々内側パイプ３６の中空内部を介して、支持柱部３０が固定された作業空間４５まで延設している。作業空間４５において、各ワイヤー部材３９の進退操作を行うことによって、鉄筋把持部４０を介して吊り下げた補強用鉄筋１１を、吊り降ろしたり、吊り上げたり、傾けたりすることができるようになっている。
【００２２】
本実施形態では、鉄筋把持部４０は、図８（ａ），（ｂ）に示すように、好ましくは、電磁石４１と、電磁石４１に磁着可能な金属板４２を先端に備える鉄筋巻込み用ベルト４３とを含んで構成されている。鉄筋把持部４０は、鉄筋巻込み用ベルト４３によって補強用鉄筋１１を巻き込み、金属板４２を電磁石４１に磁着して補強用鉄筋１１を把持した状態から、補強用鉄筋１１を所定の位置まで吊り降ろした後に、電磁石４１の電源をオフにすることで把持した状態を開放して、ワイヤー部材３９と共に引き上げ可能となっている。電磁石４１に通電するための配線もまた、内側パイプ３６の中空内部を介して作業空間４５まで延設しており、作業空間４５での操作によって、鉄筋把持部４０を開放することが可能となっている。また、内側パイプ３６の先端部や鉄筋把持部４０に、監視カメラを適宜取り付けておき、配筋用縦スリット２５の内部の状況を確認しながら、補強用鉄筋１１の配筋操作を行うようにすることが好ましい。
【００２３】
本実施形態では、上述の構成を備える鉄筋吊下げ配筋装置１０を使用して、例えば以下のようにして、配線類や配管類２３の裏側の壁面部２２に形成された配筋用縦スリット２５に、補強用鉄筋１１を縦方向に所定のピッチで配筋する。
【００２４】
ここで、既設の鉄筋コンクリート構造物２０の共同溝として用いられている上段トンネル部２１に設置された配線類や配管類２３の裏側の壁面部２２に、配筋用縦スリット２５を形成するには、例えば図９（ａ），（ｂ）に示すように、例えば公知のコアボーリング装置（図示せず）を使用して、壁面部２２にコアボーリング孔２９を穿孔形成する。コアボーリング孔２９を穿孔形成する作業は、例えば配線類や配管類２３を支持して壁面部２２に複数段に取り付けられている支持架台２４の間の空間部分２６ａ，２６ｂや、これらの上方又は下方の空間部分２７ａ，２７ｂから、例えば壁面部２２に対して垂直な方向に向けて、コアボーリング装置の穿孔部を回転さながら圧入することによって容易に行うことができる。またこれによって、例えば壁面部２２の内側面側に配筋された既存の鉄筋２８ａを回避した位置において、好ましくは壁面部２２の外側の地盤側に配筋された既存の鉄筋２８ｂに致る手前までの深さで、複数のコアボーリング孔２９を、縦方向に一列に並べた状態で容易に形成することができる。
【００２５】
複数のコアボーリング孔２９を形成したら、各々のコアボーリング孔２９を縦方向に繋げて配筋用縦スリット２５を形成する。コアボーリング孔２９を縦方向に繋げる作業は、例えば各々のコアボーリング孔２９に、又は適宜選択したコアボーリング孔２９に、複数段に取り付けられた支持架台２４の間の空間部分２６ａ，２６ｂや、これら上方又は下方の空間部分２７ａ，２７ｂを介して、例えば上述の特許文献１で用いた装置と同様のウォータージェット装置（図示せず）の噴射ノズル部を挿入し、上方又は下方に向けてウォータージェットを噴射することによってコンクリートを切削する。これによって、既存の鉄筋２８ａを切断することなく露出させた状態で、上下のコアボーリング孔２９を繋げるようにして、縦方向に連続して延設する配筋用縦スリット２５を、コアボーリング孔２９の深さに相当する例えば５００ｍｍ程度深さで、且つ例えば７０ｍｍ程度の幅となるように、容易に形成することができる。
【００２６】
このような配筋用縦スリット２５を、上段トンネル部２１のトンネル軸方向に所定の間隔をおいて、配線類や配管類２３の裏側の壁面部２２に複数列に形成したら、本実施形態の鉄筋吊下げ配筋装置１０を使用して、各々の配筋用縦スリット２５に補強用鉄筋１１を、作業員の手によって配筋用縦スリット２５に直接配筋することなく、例えば作業空間４５からの遠隔操作によって、補強用鉄筋１１を上方から吊り降ろして縦方向に所定のピッチで配筋する。
【００２７】
ここで、補強用鉄筋１１は、本実施形態では、例えば２９ｍｍ程度の直径を有する異形鉄筋となっている。また、補強用鉄筋１１は、鉄筋コンクリート構造物２０の壁面部２２の内側面側に配筋されている既存の鉄筋２８ａのうちの特に帯状鉄筋と、配筋用縦スリット２５の最深部との間の間隔部分に、斜めに吊り下げた状態で吊り降ろし可能な長さとして、例えば４８０ｍｍ程度の長さを有している。さらに、補強用鉄筋１１は、縦方向の所定のピッチとして、例えば２００ｍｍ程度のピッチで各配筋用縦スリット２５に配筋されると共に、隣接する配筋用縦スリット２５間のピッチに相当する横方向のピッチとして、例えば５００ｍｍ程度のピッチで壁面部２２に配筋される。
【００２８】
また、本実施形態では、図１に示すように、配筋用縦スリット２５に上方から吊り降ろされる補強用鉄筋１１は、配筋される所定のピッチに対応する長さを有するスペーサーロッド１３の両端に上部連結台１４と下部受け台１５とを取り付けた少なくとも２本のスペーサー治具１２を、上部連結台１４を介して連結した状態で吊り降ろされるようになっており、下部受け台１５は、開放側を下方に向けた凹受け部を備えており、この凹受け部を、先行して配筋された下段の補強用鉄筋１１’の上部に載置することで補強用鉄筋１１を下段の補強用鉄筋１１’に支持させて、配筋用縦スリット２５に補強用鉄筋１１を縦方向に所定のピッチで配筋できるようになっている。
【００２９】
補強用鉄筋１１を配筋用縦スリット２５に配筋するには、例えば支持柱部３０を固定して鉄筋吊下げ配筋装置１０を作業空間４５にセットした後に、図１０（ａ）〜（ｄ）に示すように、配筋用縦スリット２５の最下部に配筋される補強用鉄筋１１を、最下部スペーサー治具５０を使用して、最下段の支持架台２４の下方の空間部分２７ｂからの作業員の手作業によって配筋した後（図１０（ａ）参照）に、この最下部の補強用鉄筋１１を先行して配筋された下段の補強用鉄筋１１’として、鉄筋吊下げ配筋装置１０を用いて、好ましくは支持架台２４の上方の空間部分２７ａから、２段目の補強用鉄筋１１を、２本のスペーサー治具１２を連結した状態で、下部受け台１５の凹受け部１６が下段の補強用鉄筋１１’の上部に載置されるまで吊り降ろす（図１０（ｂ）参照）。
【００３０】
ここで、補強用鉄筋１１を吊り下げる際に、補強用鉄筋１１は、ガイドパイプ部３４によってガイドされるスライドパイプ部３７の壁面部２２に向けた進退長さや、外側パイプ３５に対する内側パイプ３６の進退長さや、或いはガイドプーリー３８に巻き付けられた一対のワイヤー部材３９の進退長さを適宜調節して、壁面部２２の内側面側に配筋されている既存の鉄筋２８ａのうち特に帯状鉄筋に引っ掛からないように、例えば斜めにした状態や水平にした状態で、適宜姿勢変更させながら吊り降ろして行くことができる。また、上下に隣接する２段の補強用鉄筋１１に取り付けられる各２本のスペーサー治具１２は、下段のスペーサー治具１２の上部連結台１４と、上段のスペーサー治具１２の下部受け台１５とが重なり合わないように、これらを横方向にずらした状態で各補強用鉄筋１１に取り付けておくことが好ましい。
【００３１】
下部受け台１５の凹受け部を下段の補強用鉄筋１１’の上部に載置して２段目の補強用鉄筋１１を配筋したら、引き続いて、当該配筋した補強用鉄筋１１を先行して配筋された下段の補強用鉄筋１１’として、さらに上段の補強用鉄筋１１を、２本のスペーサー治具１２を連結した状態で、下部受け台１５の凹受け部１６が下段の補強用鉄筋１１’の上部に載置されるまで、順次吊り降ろしてゆく（図１０（ｃ）参照）。
【００３２】
このようにして、複数段の補強用鉄筋１１を、配線類や配管類２３の裏側の配筋用縦スリット２５の内部に、本実施形態の鉄筋吊下げ配筋装置１０を用いて、縦方向に所定のピッチでスムーズに配筋してゆくことが可能になる（図１０（ｄ）参照）。
【００３３】
そして、図１０（ｄ）に示すように、配線類や配管類２３の裏側の配筋用縦スリット２５の内部に、複数段の補強用鉄筋１１を縦方向に所定のピッチで配筋したら、配筋用縦スリット２５の壁面部２２の内側面側の開口を型枠で閉塞した後に、配筋用縦スリット２５の内部に、これの下方部分から例えば無収縮モルタルを注入充填して固化させることにより、既設の鉄筋コンクリート構造物２０の壁面部２２の耐震補強工事が終了する。
【００３４】
なお、本発明は上記実施形態に限定されることなく種々の変更が可能である。例えば本発明の鉄筋吊下げ配筋装置を用いて補強用鉄筋を配筋することで補強される既設の鉄筋コンクリート構造物は、ボックスカルバート形状の地下構造物の壁面部である必要は必ずしも無く、その他の種々の既設の鉄筋コンクリート構造物を補強用鉄筋によって補強する際の装置として、本発明を採用することができる。また、配筋作業の邪魔になる障害物は、配線類や配管類以外の障害物であっても良い。さらに、本発明の鉄筋吊下げ配筋装置を用いて配筋される補強用鉄筋は、スペーサー治具を連結した状態で吊り降ろされるものである必要は必ずしもなく、補強用鉄筋を単独で吊り降ろして配筋する際にも本発明の鉄筋吊下げ配筋装置を用いることができる。
【符号の説明】
【００３５】
１０  鉄筋吊下げ配筋装置
１１  補強用鉄筋
１２  スペーサー治具
２０  既設の鉄筋コンクリート構造物
２２  壁面部
２３  配線類や配管類
２４  支持架台
２５  配筋用縦スリット
２８ａ，２８ｂ  既存の鉄筋
２９  コアボーリング孔
３０  支持柱部
３１  ジャッキベース
３２  支持柱
３３  クランプ部
３４  ガイドパイプ部
３５  外側パイプ
３６  内側パイプ
３７  スライドパイプ部
３８  ガイドプーリー
３９  ワイヤー部材
４０  鉄筋把持部
４１  電磁石
４２  金属板
４３  鉄筋巻込み用ベルト
４５  作業空間
【図１】
0005596530.tif 000002
【図２】
0005596530.tif 000003
【図３】
0005596530.tif 000004
【図４】
0005596530.tif 000005
【図５】
0005596530.tif 000006
【図６】
0005596530.tif 000007
【図７】
0005596530.tif 000008
【図８】
0005596530.tif 000009
【図９】
0005596530.tif 000010
【図１０】
0005596530.tif 000011